(57)【要約】      （修正有）【課題】安定した持ち運びや設置が可能な記録装置を提供する。【解決手段】プリンターは、搬送される用紙に記録を行う記録ヘッドを内部に備える装置本体と、装置本体内部に設けられる少なくとも３つの駆動源と、装置本体内部に設けられ、前記３つの駆動源に電力を供給するバッテリー２０と、装置本体内部に設けられる、バッテリー２０を収容するバッテリー収容部２４と、を備え、３つの駆動源のうち、キャリッジ駆動モーター２１及び搬送モーター２２は、媒体搬送方向と交差する幅方向において、中央部Ｃに対して一方側に設けられ、給紙モーター２３は、前記幅方向において、中央部Ｃに対して他方側に設けられ、バッテリー２０は、その重心Ｇが、前記幅方向の中央部Ｃに対して給紙モーター２３寄りに位置している。【選択図】図４
2018052034.tif 000002
【特許請求の範囲】
【請求項１】
搬送される媒体に記録を行う記録手段を内部に備える装置本体と、
前記装置本体内部に設けられる少なくとも３つの駆動源と、
前記装置本体内部に設けられ、前記３つの駆動源に電力を供給するバッテリーと、
前記装置本体内部に設けられる、前記バッテリーを収容するバッテリー収容部と、を備え、
前記３つの駆動源のうち、第１の駆動源及び第２の駆動源は、媒体搬送方向と交差する幅方向において、中央部に対して一方側に設けられ、第３の駆動源は、前記幅方向において、前記中央部に対して他方側に設けられ、
前記バッテリーは、その重心が、前記幅方向の前記中央部に対して前記第３の駆動源寄りに位置している、
ことを特徴とする記録装置。
【請求項２】
請求項１に記載の記録装置において、前記記録手段を保持し、媒体搬送方向と交差する方向に移動するキャリッジを備え、前記第１の駆動源及び前記第２の駆動源のいずれか一方は、前記キャリッジの駆動源である、
ことを特徴とする記録装置。
【請求項３】
搬送される媒体に記録を行う記録手段を内部に備える装置本体と、
前記装置本体内部に設けられ、前記媒体を当該媒体のセット位置から前記記録手段に向けて送り出す給送手段と、
前記装置本体内部に設けられるバッテリーと、
前記装置本体内部に設けられる、前記バッテリーを収容するバッテリー収容部と、を備え、
前記バッテリー収容部の少なくとも一部は、前記給送手段の下方に位置する、
ことを特徴とする記録装置。
【請求項４】
請求項１から請求項３のいずれか一項に記載の記録装置において、前記バッテリーは、前記装置本体内部に設けられる第１の接点部と電気的に接続される第２の接点部を備えるとともに、前記バッテリー収容部に対して挿抜可能に設けられ、
前記第１の接点部と前記第２の接点部とが接続された状態で前記装置本体に前記バッテリーをロックするロック機構部を備え、
前記ロック機構部は、前記装置本体側に設けられ、前記バッテリーの挿入方向と交差する方向に進出する進出状態と前記進出状態よりも前記バッテリーから離れる退避状態とをとるロックピンと、前記ロックピンを前記進出状態に向けて付勢する付勢手段と、を備え、前記進出状態の前記ロックピンが前記バッテリーに設けられる被ロック部と係合してロック状態となり、前記ロックピンが前記退避状態のときに非ロック状態となる構成であり、  前記付勢手段の付勢力は、前記装置本体を前記バッテリーの抜ける方向が重力方向に向く姿勢にした際に、前記バッテリーが自重により抜けない大きさである、
ことを特徴とする記録装置。
【請求項５】
請求項４に記載の記録装置において、前記ロックピンは、前記被ロック部に向かう先端に、当該先端から前記バッテリーの挿入方向の少なくとも下流側に向かう斜面を備えている、
ことを特徴とする記録装置。
【請求項６】
請求項４または請求項５に記載の記録装置において、前記バッテリー収容部を開閉するカバー部材を備える、
ことを特徴とする記録装置。
【請求項７】
請求項６に記載の記録装置において、
前記第１の接点部の前記バッテリーの挿入方向における接点長さが、
閉じた状態の前記カバー部材と、前記ロック機構部の前記ロック状態における前記バッテリーの挿入方向後端との間の長さよりも長い、
ことを特徴とする記録装置。
【請求項８】
請求項１から請求項７のいずれか一項に記載の記録装置において、
前記バッテリーは、前記挿入方向と交差する方向の断面形状が非対称に形成され、
前記バッテリー収容部におけるバッテリー挿抜口は、前記バッテリーにおける非対称の前記断面形状に対応する形状である、
ことを特徴とする記録装置。
【請求項９】
請求項１から請求項８のいずれか一項に記載の記録装置において、前記バッテリー収容部は、前記バッテリーを支持する支持リブと、前記バッテリーの上方への移動を規制する規制リブと、を備える、
ことを特徴とする記録装置。
【請求項１０】
請求項１から請求項９のいずれか一項に記載の記録装置において、
前記装置本体の底部に、前記記録手段から出る廃液を回収する廃液ボックスを備え、
前記バッテリー収容部の少なくとも一部と、前記廃液ボックスの少なくとも一部とが、装置高さ方向でオーバーラップする、
ことを特徴とする記録装置。
【請求項１１】
請求項１０に記載の記録装置において、前記装置本体の底部が、前記バッテリー収容部と前記廃液ボックスとによって占有されている、
ことを特徴とする記録装置。
【発明の詳細な説明】
【技術分野】
【０００１】
本発明は、媒体に記録を行う記録装置に関するものである。
【背景技術】
【０００２】
プリンターに代表される記録装置は、媒体セット部にセットされた媒体を送り出す送りローラー、前記送りローラーによって送り出された媒体を記録手段による記録領域に送る搬送ローラー、及び記録手段による記録後の媒体を排出部から排出するための排出ローラー等を備えており、これらがモーター等の駆動源により駆動されている。    例えば特許文献１には、前記送りローラーとしての給送ローラー３５を駆動する第１モーター４０と、前記搬送ローラーとしての搬送ローラー対５３と前記排出ローラーとしての排出ローラー対５４を駆動する第２モーター６０の２つのモーターを備えた記録装置が開示されている。  
【０００３】
また、前記プリンターには、前記記録手段が媒体の搬送方向と交差する媒体幅方向に移動するキャリッジに搭載され、前記搬送ローラーにより媒体を所定量搬送する媒体搬送動作と、前記記録手段を備えた前記キャリッジを前記媒体幅方向へ移動させて行う記録動作と、を交互に実行することで記録を完了させる、所謂シリアル方式のものがある。このようなプリンターでは、前記送りローラー、前記搬送ローラー、及び前記排出ローラーを駆動する２つのモーターに加え、前記キャリッジを移動させるためのモーター（駆動源）を更に備え、合計３つのモーターを備える場合がある。  
【０００４】
ところで、このようなプリンターにおいて、小型、軽量で持ち運びが容易なモバイルタイプのものが存在する（例えば、特許文献２）。
【先行技術文献】
【特許文献】
【０００５】
【特許文献１】特開２０１６−００８１２４号公報
【特許文献２】特開２０１５−２０２６１５号公報
【発明の概要】
【発明が解決しようとする課題】
【０００６】
モバイルタイプのプリンターにおいては、外部電源のない屋外でも使用できるように、充電可能な内臓バッテリーを備える場合がある。  
そして、小型のモバイルタイプのプリンターに対するユーザーのニーズとしては、装置の一層の小型化がある。また、持ち運ぶことが前提とされるモバイルタイプのプリンターにおいては、プリンターを持った際や設置した際の安定性も要求されるので、装置全体の重量バランスが重要である。  
【０００７】
しかし、装置内部において、比較的重量も大きさもある内臓バッテリーと複数のモーター（例えば、送りローラー用モーター、前記搬送ローラー及び前記排出ローラー用モーター、及びキャリッジ用モーターの３つ）を配置するスペースには限りがあり、構成部材のレイアウトにも制限がある。  
【０００８】
このような状況に鑑み、本発明の目的は、安定した持ち運びや設置が可能な記録装置を提供することにある。
【課題を解決するための手段】
【０００９】
上記課題を解決するため、本発明の第１の態様に係る記録装置は、搬送される媒体に記録を行う記録手段を内部に備える装置本体と、前記装置本体内部に設けられる少なくとも３つの駆動源と、前記装置本体内部に設けられ、前記３つの駆動源に電力を供給するバッテリーと、前記装置本体内部に設けられる、前記バッテリーを収容するバッテリー収容部と、を備え、前記３つの駆動源のうち、第１の駆動源及び第２の駆動源は、媒体搬送方向と交差する幅方向において、中央部に対して一方側に設けられ、第３の駆動源は、前記幅方向において、前記中央部に対して他方側に設けられ、前記バッテリーは、その重心が、前記幅方向の前記中央部に対して前記第３の駆動源寄りに位置している、ことを特徴とする。
【００１０】
モーターに代表される駆動源は重量物である為、３つの駆動源のうち、２つ（第１の駆動源及び第２の駆動源）が、媒体搬送方向と交差する幅方向において、中央部に対して一方側に設けられ、１つ（第３の駆動源）が前記中央部に対して他方側に設けられていると、装置全体の前記幅方向における重量バランスが２つの駆動源が設けられる前記一方側に片寄り易い。  
本態様によれば、前記バッテリーは、その重心位置が、前記幅方向の前記中央部に対して前記第３の駆動源寄りになるように配設されているので、装置全体の前記幅方向における重量バランスを安定させることができる。  
その結果、記録装置の安定した持ち運びや設置が可能となる。
【００１１】
本発明の第２の態様に係る記録装置は、第１の態様において、前記記録手段を保持し、媒体搬送方向と交差する方向に移動するキャリッジを備え、前記第１の駆動源及び前記第２の駆動源のいずれか一方は、前記キャリッジの駆動源である、ことを特徴とする。
【００１２】
本態様によれば、前記記録手段を保持し、媒体搬送方向と交差する方向に移動するキャリッジを備え、前記第１の駆動源及び前記第２の駆動源のいずれか一方が、前記キャリッジの駆動源である記録装置において、第１の態様と同様の作用効果が得られる。
【００１３】
本発明の第３の態様に係る記録装置は、搬送される媒体に記録を行う記録手段を内部に備える装置本体と、前記装置本体内部に設けられ、前記媒体を当該媒体のセット位置から前記記録手段に向けて送り出す給送手段と、前記装置本体内部に設けられるバッテリーと、前記装置本体内部に設けられる、前記バッテリーを収容するバッテリー収容部と、を備え、前記バッテリー収容部の少なくとも一部は、前記給送手段の下方に位置することを特徴とする。
【００１４】
本態様によれば、前記バッテリー収容部の少なくとも一部が、前記給送手段の下方に位置しており、このバッテリー収容部に重量物である前記バッテリーが収容されるので、記録装置全体としての重心を下方寄りに位置させることができ、以って、前記記録装置の安定した持ち運びや設置が可能となる。
【００１５】
本発明の第４の態様に係る記録装置は、第１の態様から第３の態様のいずれか一つにおいて、前記バッテリーは、前記装置本体内部に設けられる第１の接点部と電気的に接続される第２の接点部を備えるとともに、前記バッテリー収容部に対して挿抜可能に設けられ、前記第１の接点部と前記第２の接点部とが接続された状態で前記装置本体に前記バッテリーをロックするロック機構部を備え、前記ロック機構部は、前記装置本体側に設けられ、前記バッテリーの挿入方向と交差する方向に進出する進出状態と前記進出状態よりも前記バッテリーから離れる退避状態とをとるロックピンと、前記ロックピンを前記進出状態に向けて付勢する付勢手段と、を備え、前記進出状態の前記ロックピンが前記バッテリーに設けられる被ロック部と係合してロック状態となり、前記ロックピンが前記退避状態のときに非ロック状態となる構成であり、前記付勢手段の付勢力は、前記装置本体を前記バッテリーの抜ける方向が重力方向に向く姿勢にした際に、前記バッテリーが自重により抜けない大きさである、ことを特徴とする。
【００１６】
本態様によれば、前記装置本体を前記バッテリーの抜ける方向が重力方向に向く姿勢にした際に、前記バッテリーが抜けて外れる虞を低減することができる。
【００１７】
本発明の第５の態様に係る記録装置は、第４の態様において、前記ロックピンは、前記被ロック部に向かう先端に、当該先端から前記バッテリーの挿入方向の少なくとも下流側に向かう斜面を備えている、ことを特徴とする。
【００１８】
本態様によれば、前記ロック機構部をしっかりとロック状態にすることができる。尚、この点については後に詳しく説明する。
【００１９】
本発明の第６の態様に係る記録装置は、第４の態様または第５の態様において、前記バッテリー収容部を開閉するカバー部材を備えることを特徴とする。
【００２０】
本態様によれば、バッテリー挿抜口から前記装置本体内部に異物が入る虞を低減または回避することができる。
【００２１】
本発明の第７の態様に係る記録装置は、第６の態様において、前記第１の接点部の前記バッテリーの挿入方向における接点長さが、閉じた状態の前記カバー部材と、前記ロック機構部の前記ロック状態における前記バッテリーの挿入方向後端との間の長さよりも長い、ことを特徴とする。
【００２２】
本態様によれば、前記カバー部材が閉じた状態において、前記第１の接点部と前記第２の接点部との接続状態をより確実に維持することができる。
【００２３】
本発明の第８の態様に係る記録装置は、第１の態様から第７の態様のいずれか一つにおいて、前記バッテリーは、前記挿入方向と交差する方向の断面形状が非対称に形成され、前記バッテリー収容部におけるバッテリー挿抜口は、前記バッテリーにおける非対称の前記断面形状に対応する形状である、ことを特徴とする。
【００２４】
本態様によれば、前記バッテリーは、前記挿入方向と交差する方向の断面形状が非対称に形成され、前記バッテリー収容部におけるバッテリー挿抜口が、前記バッテリーにおける非対称の前記断面形状に対応する形状であるので、ユーザーが前記バッテリーの挿入向きを容易に判別できる。また、バッテリーの向きを間違えて挿入することを回避できる。
【００２５】
本発明の第９の態様に係る記録装置は、第１の態様から第８の態様のいずれか一つにおいて、前記バッテリー収容部は、前記バッテリーを支持する支持リブと、前記バッテリーの上方への移動を規制する規制リブと、を備える、ことを特徴とする。
【００２６】
本態様によれば、前記バッテリー収容部は、前記バッテリーを支持する支持リブと、前記バッテリーの上方への移動を規制する規制リブを備えるので、前記バッテリーを前記バッテリー収容部にスムースに挿抜することができる。
【００２７】
本発明の第１０の態様に係る記録装置は、第１の態様から第９の態様のいずれか一つにおいて、前記装置本体の底部に、前記記録手段から出る廃液を回収する廃液ボックスを備え、前記バッテリー収容部の少なくとも一部と、前記廃液ボックスの少なくとも一部とが、装置高さ方向でオーバーラップする、ことを特徴とする。
【００２８】
本態様によれば、前記バッテリー収容部の少なくとも一部と、前記廃液ボックスの少なくとも一部とが、装置高さ方向でオーバーラップするので、記録装置における高さ方向の寸法を抑制することができる。
【００２９】
本発明の第１１の態様に係る記録装置は、第１０の態様において、前記装置本体の底部が、前記バッテリー収容部と前記廃液ボックスとによって占有されている、ことを特徴とする。
【００３０】
尚、ここでの「占有」とは、大部分を占めるという意味であり、必ずしも全て（１００％）を占めるとは限らないが、前記底部の大部分の領域を前記バッテリー収容部と前記廃液ボックスとによって占める意味である。  
本態様によれば、比較的重量があるバッテリーが収容される前記バッテリー収容部と、廃液が溜まることにより重量が増加する前記廃液ボックスが、前記装置本体の底部の大部分を占めるので、記録装置を設置した際の安定性が増す。
【図面の簡単な説明】
【００３１】
【図１】本発明に係るプリンターの一例を示す外観斜視図。
【図２】本発明に係るプリンターにおいて、第１上面カバー及び排紙カバーを開いた状態を示す斜視図。
【図３】本発明に係るプリンターの用紙搬送経路を示す側断面図。
【図４】図１におけるＡ−Ａ矢視断面図であり、バッテリーと３つの駆動源との位置関係を示す図。
【図５】図１におけるＢ−Ｂ矢視断面図であり、廃液ボックスと３つの駆動源との位置関係を示す図。
【図６】装置本体内部の内部における、バッテリーと廃液ボックスと３つの駆動源との位置関係を示す図。
【図７】装置本体を構成する下ハウジングを示す斜視図。
【図８】図１のＤ−Ｄ矢視断面図。
【図９】本発明に係るプリンターの側面図。
【図１０】図９に示すプリンターの側断面図。
【図１１】バッテリーとロック機構部を示す斜視図。
【図１２】図１のＥ−Ｅ矢視断面図。
【図１３】ロック機構部のロック状態を示す側断面図。
【図１４】ロック機構部の動作を説明する図。
【発明を実施するための形態】
【００３２】
［実施例１］
まず、本発明の一実施例に係る記録装置の概略について説明する。本実施例において、記録装置の一例としてインクジェット式プリンター１（以下、単にプリンター１と称する）を例に挙げる。  
図１は、本発明に係るプリンターの一例を示す外観斜視図である。図２は、本発明に係るプリンターにおいて、第１上面カバー及び排紙カバーを開いた状態を示す斜視図である。図３は、本発明に係るプリンターの用紙搬送経路を示す側断面図である。図４は、図１におけるＡ−Ａ矢視断面図であり、バッテリーと３つの駆動源との位置関係を示す図である。図５は、図２におけるＢ−Ｂ矢視断面図であり、廃液ボックスと３つの駆動源との位置関係を示す図である。図６は、装置本体内部の内部における、バッテリーと廃液ボックスと３つの駆動源との位置関係を示す図である。
【００３３】
図７は、装置本体を構成する下ハウジングを示す斜視図である。図８は、図１のＤ−Ｄ矢視断面図である。図９は、本発明に係るプリンターの側面図である。図１０は、図９に示すプリンターの側断面図である。図１１は、バッテリーとロック機構部を示す斜視図である。図１２は、図１のＥ−Ｅ矢視断面図である。図１３は、ロック機構部のロック状態を示す側断面図である。図１４は、ロック機構部の動作を説明する図である。
【００３４】
尚、各図において示すＸ−Ｙ−Ｚ座標系は、Ｘ方向が記録ヘッドの移動方向であるとともに、装置幅方向である。また、Ｙ方向が記録装置の奥行き方向、Ｚ方向が装置高さ方向を示している。尚、各図において＋Ｙ方向を装置前面側或いは前方側とし、−Ｙ方向側を装置背面側或いは後方側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。
【００３５】
＜プリンターの全体構成について＞
以下、図１〜図３を参照しつつ、プリンター１の全体構成について概説する。  
プリンター１（図１）は、後述する「記録手段」としての記録ヘッド１０（図３）を内部に備える装置本体２と、装置本体２の上部８（図２）を開閉する第１上面カバー３及び第２上面カバー４と、装置本体２の前面（＋Ｙ方向側の側面）側に開閉する排紙カバー５と、装置本体２に対して回動可能に設けられるハンドル６とによって、その外観が構成されている。  
装置本体２、第１上面カバー３、第２上面カバー４、排紙カバー５及びハンドル６は、それぞれ、プラスチック等の樹脂材料により形成することができる。樹脂材料の種類はそれぞれの部材に応じて変えることができる。また、一部に他の材料（金属材料等）を用いることもできる。
【００３６】
装置本体２の上部８には、「媒体」としての用紙を挿入してセットするセット口７が設けられている（図２を参照）。第１上面カバー３は、装置本体２の上部８において、セット口７と後述するパネルユニット９を含む領域を開閉するカバーであり、図２及び図３に示すように、開いた状態において傾斜姿勢をとり、セット口７にセットされる用紙を支持面３ｂで支持するように構成されている。支持面３ｂは、第１上面カバー３を閉じたときに外観に表れるおもて面３ａの裏面である  
また、前述したパネルユニット９（図２）は、プリンター１における操作入力を受け付ける操作部であり、メニューやエラー等の各種情報を表示する液晶ディスプレイ９ａや操作ボタン９ｂが配置されている。パネルユニット９は、少なくとも第１上面カバー３を開いた状態において、図２のようにプリンター１の前面側に液晶ディスプレイ９ａが引き起こされるようにチルト可能に構成されている。
【００３７】
また、第２上面カバー４は、装置本体２の上部８において、第１上面カバー３が開閉する領域以外の領域を開閉する様に構成されている。
【００３８】
＜プリンターの用紙搬送経路について＞  
続いて、主として図３を参照しつつプリンター１における用紙搬送経路について説明する。図３において符号Ｐで示す点線は、用紙搬送経路を示している。プリンター１において、用紙は図３の＋Ｙ方向へ搬送される構成である。尚、以下において、プリンター１における用紙搬送方向側（＋Ｙ方向側）を「下流」といい、これと反対の方向側（−Ｙ方向側）を「上流」という。
【００３９】
装置本体２の内部には、搬送される用紙にインクを吐出して記録を行う記録ヘッド１０（記録手段）を備えたキャリッジ１１が、用紙搬送方向（＋Ｙ方向）と交差する方向（Ｘ軸方向）に往復動するように設けられている。キャリッジ１１は、キャリッジ１１の移動方向であるＸ軸方向に延設されるメインフレーム１３に支持されている。記録ヘッド１０の底面には、記録ヘッド１０の下方側を搬送される用紙に対してインクを吐出する複数のノズル（不図示）からなるノズル列が設けられており、キャリッジ１１に搭載される液体収納体１２からノズルを介してインクが供給される。
【００４０】
キャリッジ１１は、「第１の駆動源」としてのキャリッジ駆動モーター２１（図４）から駆動力を受けて移動する様に構成されている。キャリッジ１１の移動には、例えば、キャリッジ駆動モーター２１の駆動軸２１ａ（図４）に取り付けられた駆動プーリー（不図示）及び従動プーリー（不図示）に掛け回した無端ベルト（不図示）にキャリッジ１１を固定して、前記無端ベルトを回動させることによりキャリッジ１１を移動する公知のベルト機構を用いることができる。
【００４１】
キャリッジ駆動モーター２１（図４）は、メインフレーム１３におけるキャリッジ１１の移動領域の一方側の端部（図４における−Ｘ側の端部）に設けられている。  
尚、プリンター１は、「第１の駆動源」としてのキャリッジ駆動モーター２１の他に、後述する「第２の駆動源」としての搬送モーター２２及び「第３の駆動源」としての給紙モーター２３を備え、合計３つの駆動源を備えている。  
尚、以下において、キャリッジ駆動モーター２１、搬送モーター２２、及び給紙モーター２３を総称して「３つの駆動源」と言う場合がある。
【００４２】
セット口７にセットされた用紙は、「給送手段」としての給紙ローラー１４により下流の記録ヘッド１０に向けて給送される。給紙ローラー１４は、前述した「第３の駆動源」としての給紙モーター２３（図４）からの動力を受けて駆動される。
【００４３】
尚、給紙モーター２３には、給紙モーター２３の動力を伝達する輪列（不図示）が連結されており、前記輪列を介して給紙モーター２３に給紙モーター２３の動力が伝わる様に構成されている。  
また、給紙モーター２３は、プリンター１における他の構成部材の駆動源と兼用することもできる。例えば、記録ヘッド１０を吸引してヘッドクリーニングを行うヘッドメンテナンス部（不図示）の吸引ポンプ等の駆動源として用いることができる。
【００４４】
給紙ローラー１４により送られる用紙は、搬送駆動ローラー１５ａと搬送従動ローラー１５ｂを備えた搬送ローラー対１５によって挟持された状態で、記録ヘッド１０の下方の記録領域に搬送される。搬送駆動ローラー１５ａは、「第２の駆動源」としての搬送モーター２２（図４）からの動力を受けて駆動される。  
記録ヘッド１０と対向する側（図３における下方側）には、記録ヘッド１０の液体吐出面である底面と用紙との間の用紙ギャップを規定する支持部材１６が設けられている。記録ヘッド１０と支持部材１６との間において、用紙に記録ヘッド１０からインクを吐出することによって記録が実行される。
【００４５】
記録ヘッド１０の下流側には、排出駆動ローラー１７ａと排出従動ローラー１７ｂとを備える排出ローラー対１７が設けられている。排出駆動ローラー１７ａは、搬送モーター２２（図４）からの動力を受けて駆動される。  
尚、搬送モーター２２には、搬送モーター２２の動力を伝達する輪列（不図示）が連結されており、前記輪列を介して搬送駆動ローラー１５ａ及び排出駆動ローラー１７ａに搬送モーター２２の動力が伝わる様に構成されている。  
支持部材１６上を搬送された記録後の用紙は、排出ローラー対１７によって下流側に送られて排出部１８から排出され、開状態の排紙カバー５上に載置される。  
以上がプリンター１の用紙搬送経路の概略である。
【００４６】
＜装置本体内部の構成について＞
＊＊＊３つの駆動源とバッテリーの位置関係について＊＊＊
続いて、装置本体内部の構成について更に説明する。  
前述したように、プリンター１において装置本体２の内部には、図４に示すキャリッジ駆動モーター２１、搬送モーター２２、及び給紙モーター２３の３つの駆動源が設けられている。尚、図４においては、３つの駆動源とバッテリー２０の位置関係を分かり易くするため、３つの駆動源とバッテリー２０以外の他の構成部材の記載が省略されている。
【００４７】
そして、同じく装置本体２の内部には、３つの駆動源のそれぞれに電力を供給するバッテリー２０（図４）が設けられている。バッテリー２０は、装置本体２の内部に設けられるバッテリー収容部２４に収容されている。
【００４８】
ここで、装置本体２内部において、３つの駆動源のうち、キャリッジ駆動モーター２１及び搬送モーター２２の２つは、図４に示すように、媒体搬送方向（＋Ｙ方向）と交差する幅方向（Ｘ軸方向）において、中央部Ｃに対して一方側（−Ｘ側）に設けられ、給紙モーター２３は、前記幅方向において、中央部Ｃに対して他方側（＋Ｘ側）に設けられている。  
そして、バッテリー２０は、その重心Ｇが、前記幅方向の中央部Ｃに対して給紙モーター２３寄りに位置するように配置されている。  
尚、本実施例におけるバッテリー２０は、図１１に示すように、外観がＸ軸方向に長い直方体に近い形状であり、その重心Ｇの位置は、Ｘ軸方向、Ｙ軸方向、及びＺ軸方向のほぼ中央にある。図１１において符号２０ａは、バッテリー２０をバッテリー収容部２４に挿抜する際に持つ持ち手である。
【００４９】
モーターに代表される駆動源は重量物である為、３つの駆動源のうち、２つ（キャリッジ駆動モーター２１と搬送モーター２２）が、Ｘ軸方向（幅方向）において、中央部Ｃに対して一方側（−Ｘ側）に寄せて設けられ、１つ（給紙モーター２３）が中央部Ｃに対して他方側（＋Ｘ側）に設けられていると、プリンター１全体のＸ軸方向における重量バランスが−Ｘ側に片寄り易くなる。  
しかし、図４のように、バッテリー２０の重心Ｇの位置を中央部Ｃに対して給紙モーター２３寄りになるようにバッテリー２０を配設することにより、３つの駆動源の配置による重量バランスの偏りを低減させ、プリンター１全体のＸ軸方向における重量バランスを安定させることができる。以って、プリンター１の安定した持ち運びや設置が可能となる。
【００５０】
＊＊＊バッテリーと他の構成部材の位置関係について＊＊＊
プリンター１は、装置本体２の底部に、記録ヘッド１０から出る廃液（廃インク）を回収する廃液ボックス３０（図５〜図８を参照）を備えている。そして、図８に示すように、バッテリー収容部２４の少なくとも一部と、廃液ボックス３０の少なくとも一部とが、装置高さ方向であるＺ軸方向でオーバーラップするように配設されている。  
尚、図５においては、３つの駆動源と廃液ボックス３０の位置関係を分かり易くするため、３つの駆動源と廃液ボックス３０以外の他の構成部材の記載が省略されている。  
このように、バッテリー収容部２４の少なくとも一部と、廃液ボックス３０の少なくとも一部とが、装置高さ方向でオーバーラップして配設されていることにより、プリンター１における高さ方向の寸法を抑制することができる。
【００５１】
また、本実施例において、バッテリー収容部２４（図３においてバッテリー２０が収容されている部分）は、少なくとも一部が給紙ローラー１４の下方に位置するように配設されている。  
このように配設されたバッテリー収容部２４に、重量物であるバッテリー２０が収容されることにより、装置本体２内部のスペースを有効活用しつつ、プリンター１全体としての重心を下方寄りに位置させることができる。
【００５２】
また、本実施例において装置本体２の底部は、図７に示すように、バッテリー収容部２４と廃液ボックス３０とによって占有されている。尚、本実施例ではバッテリー収容部２４と廃液ボックス３０とが装置本体２の底部の全部を占めているわけではないが、前記底部の大部分を占めている。  
装置本体２の底部の大部分が、比較的重量があるバッテリー２０が収容されるバッテリー収容部２４と、廃液が溜まることにより重量が増加する廃液ボックス３０によって占有されていることにより、プリンター１を設置した際の安定性を一層高くすることができる。
【００５３】
＜バッテリーのロック機構部について＞
本実施例におけるバッテリー２０は、プリンター１の装置本体２に設けられるバッテリー収容部２４に対して挿抜可能に設けられ、バッテリー２０が交換可能になっている。  
プリンター１の＋Ｘ側側面には、バッテリー収容部２４にバッテリー２０を挿抜するためのバッテリー挿抜口２４ａ（図９）が設けられており、バッテリー挿抜口２４ａには、バッテリー収容部２４を開閉するカバー部材３６（図９）が設けられている。  
尚、本実施例において、バッテリー収容部２４を開閉するカバー部材３６は、Ｙ軸方向にスライドしてバッテリー挿抜口２４ａを開閉する構成である。図９において符号３６ａは、カバー部材３６を開閉する際に手で抓むつまみ部である。カバー部材３６の構成はこれに限られず、例えば、バッテリー挿抜口２４ａに対して回動するように取り付けられてバッテリー挿抜口２４ａを開閉する構成や、バッテリー挿抜口２４ａに対して脱着することによりバッテリー挿抜口２４ａを開閉する構成とすることもできる。カバー部材３６が設けられていることにより、バッテリー挿抜口２４ａから装置本体２内部に粉塵等の異物が入る虞を低減または回避することができる。
【００５４】
バッテリー２０は、装置本体２の内部に設けられる第１の接点部２５（図４及び図１３）と電気的に接続される第２の接点部２６（図４及び図１３）を備えており、第１の接点部２５と第２の接点部２６が接続されることにより、バッテリー２０からプリンター１の各種構成部材に電力が供給される様になっている。  
本実施例においては、図１３に示すように、第１の接点部２５がコネクターピン（以下、単にピンと言う）であり、第２の接点部２６がピンを受ける凹部に形成されている。第２の接点部２６の凹部の深さは、第１の接点部２５のバッテリー２０の挿入方向における接点長さ５４（ピンの長さ）に対応している。第１の接点部２５の先端が第２の接点部２６に挿入されると、第１の接点部２５と第２の接点部２６とが電気的に接続された状態となり、必ずしも第１の接点部２５が第２の接点部２６の奥まで挿入されていなくても電気的接続は維持される。  
尚、第１の接点部２５と第２の接点部２６の形状は逆にすることもできる。
【００５５】
プリンター１には、第１の接点部２５と第２の接点部２６とが接続された状態で装置本体２にバッテリー２０をロックするロック機構部５０が設けられている。  
ロック機構部５０は、装置本体２側に設けられ、バッテリー２０の挿入方向と交差する方向に進出する進出状態（図１３、図１４の一番上の図及び一番下の図）と、前記進出状態よりもバッテリー２０から離れる退避状態（図１４の上から二番目の図）とをとるロックピン５１を備えている。ロックピン５１は、プラスチック等の樹脂材料により形成することができる。
【００５６】
ロックピン５１は、付勢手段としてのコイルバネ５２（図１３）によって前記進出状態に向けて付勢されている。コイルバネ５２の上端５２ａは装置本体２の内部に設けられた固定板５８（図７及び図１３を参照）に固定されており、下端５２ｂはロックピン５１に接触している。尚、コイルバネ５２は、図８に示すように、廃液ボックス３０の少なくとも一部と、装置高さ方向（Ｚ軸方向）でオーバーラップするように配設されている。
【００５７】
バッテリー収容部２４にバッテリー２０が挿入されていない状態、或いはバッテリー２０の先端部２０ｂがロックピン５１よりもバッテリー２０の挿入方向の上流側（＋Ｘ側）に位置する状態（図１４の一番上の図）では、ロックピン５１は前記進出状態となっている。  
図１４の一番上の図の状態から、更にバッテリー２０が挿入されると、バッテリー２０の先端部２０ｂが−Ｘ方向に進むに従ってロックピン５１がコイルバネ５２の付勢力に抗して押し上げられる。尚、図１４の各図において、符号Ｓで示す点線は、前記進出状態におけるロックピン５１の先端５１ａの位置である。
【００５８】
そして、バッテリー２０の第２の接点部２６が装置本体２側の第１の接点部２５と接続されるまで挿入されると、図１４の一番下の図のように、前記進出状態のロックピン５１がバッテリー２０に設けられる凹状の被ロック部５３と係合し、バッテリー２０のＸ軸方向への移動が規制されてロック機構部５０がロック状態となる（図１３も参照）。  
【００５９】
図１４の上から二番目の図に示す退避状態のロックピン５１が、一番下の図のように凹状の被ロック部５３に係合する際には、ロックピン５１はコイルバネ５２によって付勢されて進出状態となり、コイルバネ５２の付勢力が衝撃となってバッテリー２０を手で押し込んでいるユーザーに伝わる（クリック感が出る）、或いは音がする。これにより、ロック機構部５０がロック状態となったことがユーザーに分かり易くなる。  
また、ロックピン５１が上方に退避した退避状態になると、ロックピン５１と被ロック部５３との係合が解除されてロック機構部５０が非ロック状態となる。
【００６０】
ここで、コイルバネ５２の付勢力は、装置本体２をバッテリー２０の抜ける方向（＋Ｘ方向）が重力方向に向く姿勢にした際に、バッテリー２０が自重により抜けない大きさに設定されている。  
このことにより、装置本体２をバッテリー２０の抜ける方向が重力方向に向く姿勢、すなわち、プリンター１を＋Ｘ側の側面が下方に向く姿勢にした際に、ロック機構部５０のロック状態が解除されてバッテリー２０が外れる虞を低減することができる。
【００６１】
また、ロックピン５１は、図１３に示すように、被ロック部５３に向かう先端５１ａに、先端５１ａからバッテリー２０の挿入方向（−Ｘ方向）の少なくとも下流側に向かう斜面を備えることが望ましい。  
本実施例においては、先端５１ａから挿入方向の下流側（−Ｘ側）に向かう第１の斜面５６と、先端５１ａから挿入方向の上流側（＋Ｘ側）に向かう第２の斜面５７を備えている。第１の斜面５６と第２の斜面５７はそれぞれ平面であり、第１の斜面５６と第２の斜面５７が交差する部分がロックピン５１の先端５１ａとなっている。
【００６２】
ロック機構部５０のロック状態（図１３）において、ロックピン５１は進出状態に向けて、すなわち、−Ｚ方向に付勢されている。ロックピン５１が−Ｚ方向に付勢されていると、第１の斜面５６によって被ロック部５３の−Ｘ側の縁部５３ａが−Ｘ方向に押され、以って、バッテリー２０が−Ｘ方向、すなわち、バッテリー２０の挿入方向に押されることになる。したがって、ロック機構部５０をしっかりとロック状態にすることができる。
【００６３】
一方、第２の斜面５７には、挿入されるバッテリー２０の先端部２０ｂが接触する（図１４の一番上の図）。そして、図１４の一番上の図の状態からバッテリー２０が更に挿入されると、先端部２０ｂが第２の斜面５７に沿ってロックピン５１の下方に入り込むように進み、ロックピン５１は上方へ押し上げられて退避状態をとる（図１４の上から二番目の図）。  
このように、ロックピン５１の先端５１ａに第２の斜面５７が設けられていることにより、バッテリー２０を挿入する際に先端部２０ｂが第２の斜面５７にガイドされるので、ロックピン５１をスムースに退避状態とすることができる。  
尚、ロックピン５１の先端５１ａは、本実施例では平面の第１の斜面５６及び第２の斜面５７を突き合わせた先細り形状に形成されているが、例えば、先細りの円錐状に形成することも可能である。
【００６４】
また、第１の接点部２５のバッテリー２０の挿入方向における接点長さ５４（図１２及び図１３）は、閉じた状態のカバー部材３６と、ロック機構部５０の前記ロック状態におけるバッテリー２０の挿入方向後端との間の長さ５５（図１２）よりも長く設定されている。  
第１の接点部２５の接点長さ５４と、カバー部材３６とバッテリー２０の挿入方向後端との間の長さ５５との関係がこのように設定されていると、例えば、プリンター１がバッテリー２０が外れる方向に傾けられて、バッテリー２０がその抜出方向（＋Ｘ方向）に動いたとしても、バッテリー２０の前記挿入方向後端がカバー部材３６に度当たるので、バッテリー２０の＋Ｘ方向への移動は、第１の接点部２５の接点長さ５４よりも小さくて済む。したがって、第１の接点部２５が第２の接点部２６から完全に抜けることがなく、電気的接続状態を維持することができる。よって、カバー部材３６が閉じた状態において、第１の接点部２５と第２の接点部２６との接続をより確実なものとすることができる。  
尚、バッテリー２０の前記挿入方向後端がカバー部材３６に度当たった状態においても、ロック機構部５０のロックピン５１とバッテリー２０の被ロック部５３は係合したままであり、ロック状態が維持されるようになっている。
【００６５】
＜バッテリー収容部について＞
バッテリー収容部２４は、装置本体２の内部において、バッテリー収容部２４の内部、すなわち、バッテリー２０が納められる空間と、記録を行うための機構部（記録ヘッド１０、キャリッジ駆動モーター２１、搬送モーター２２、及び給紙モーター２３を含む）が納められる空間とを隔てる壁を備えて構成されている。
【００６６】
具体的には、装置本体２が、上ハウジング３１と下ハウジング３２の２つの部材によって構成され、バッテリー収容部２４は、図７に示すように下ハウジング３２に設けられている。下ハウジング３２には、バッテリー収容部２４を区画するようにバッテリー２０が納められる空間を囲う第１側壁部６１、第２側壁部６２及び、奥側壁部６３が設けられている（図７の他、図８も参照）。  
更に、上ハウジング３１には、上面部６４（図８及び図１２）が設けられている。また、上面部６４は、下ハウジング３２の第１側壁部６１及び第２側壁部６２と装置高さ方向において一部がオーバーラップするように延設される、上側第１側壁部６５と上側第２側壁部６６を備えている（図８）。
【００６７】
バッテリー収容部２４が、下ハウジング３２に設けられる第１側壁部６１、第２側壁部６２、奥側壁部６３、及び上ハウジング３１に設けられる上面部６４、上側第１側壁部６５、上側第２側壁部６６によって前記記録を行うための機構部と区画されていることにより、例えば、記録ヘッド１０からインクが吐出されることにより発生するインクミストがバッテリー２０の第２の接点部２６や本体に付着する虞を低減することができる。
【００６８】
また、バッテリー２０は、前記挿入方向（Ｘ軸方向）と交差する方向の断面形状（Ｙ−Ｚ平面の断面形状）が、図８及び図１０に示すような非対称の形状に形成されている。本実施例においては、前記断面形状が、長方形の一つの角部（図８及び図１０における右下の角部）を切り欠いた形状をしている。そして、バッテリー収容部２４におけるバッテリー挿抜口２４ａ（図９）は、バッテリー２０における非対称の前記断面形状に対応する形状に形成されている。
【００６９】
このように、バッテリー２０の前記断面形状が非対称に形成され、バッテリー収容部２４におけるバッテリー挿抜口２４ａが、バッテリー２０における非対称の前記断面形状に対応する形状に形成されていることにより、バッテリー２０の挿入方向が一方向に決まるので、ユーザーがバッテリー２０の挿入向きを容易に判別することができる。また、ユーザーがバッテリー２０の向きを間違えて挿入することを回避できる。
【００７０】
バッテリー収容部２４は、図８及び図１０に示すように、バッテリー２０を支持する支持リブ２７と、バッテリー２０の上方への移動を規制する規制リブ２８と、を備えている。支持リブ２７は、下ハウジング３２の底部に一対で設けられ、規制リブ２８は、上ハウジング３１の上面部６４に一対で設けられている。  
バッテリー収容部２４が支持リブ２７及び規制リブ２８を備えることにより、バッテリー収容部２４におけるバッテリー２０への接触面積が少なくなるので、バッテリー２０をバッテリー収容部２４にスムースに挿抜することができる。
【００７１】
＜プリンターの他の構成＞
＊＊＊ハンドルについて＊＊＊
本実施形態において、プリンター１を持ち運ぶ際に把持する持ち手としてのハンドル６（図９を参照）は、装置幅方向に延びる把持部４０と、把持部４０の両端に設けられる延設部４１ａ、延設部４１ｂ（図４）と、を備えている。ハンドル６は、図１のように把持部４０（図１においては見えていない）が背面側になる位置から、前面側に向けて回動可能になっており、ハンドル６を持つ場合には、ハンドル６は、図９のように把持部４０がプリンター１の天面（＋Ｚ側の面）のほぼ直上に位置する状態にされる。  
尚、プリンター１の使用時には、通常、ハンドル６は図２の状態にされる。
【００７２】
ここで、ハンドル６は、Ｘ軸方向の側面に対する取付位置６７（図１０）が、装置奥行方向であるＹ軸方向において、バッテリー２０と廃液ボックス３０の間に位置している。  
ハンドル６の取付位置６７が、Ｙ軸方向において、バッテリー２０と廃液ボックス３０の間に位置にあることにより、Ｙ軸方向における重量バランスが安定するので、ハンドル６を持って装置本体２を持ち上げた際の安定性を高めることができる。
【００７３】
＊＊＊装置本体内部に設けられる基板について＊＊＊
プリンター１には、キャリッジ駆動モーター２１、搬送モーター２２、及び給紙モーター２３を含む各種構成部材の制御を行う制御部としての第１基板３４と第２基板３５とを備えている。  
図６に示すように、第１基板３４は装置本体２の上部側に設けられ、第２基板３５は装置本体２の背面側に設けられている。  
キャリッジ駆動モーター２１、搬送モーター２２、給紙モーター２３、及び記録ヘッド１０等の制御部により制御され得る構成部材は、ケーブル（フレキシブルフラットケーブル等）を介して第１基板３４及び第２基板３５のいずれかに接続されている。
【符号の説明】
【００７４】
１…プリンター（記録装置）、２…装置本体、３…第１上面カバー、
４…第２上面カバー、５…排紙カバー、６…ハンドル、
７…セット口、８…上部、９…パネルユニット、１０…記録ヘッド（記録手段）、
１１…キャリッジ、１２…液体収納体、１３…メインフレーム、
１４…給紙ローラー（給送手段）、１５…搬送ローラー対、
１５ａ…搬送駆動ローラー、１５ｂ…搬送従動ローラー、
１６…支持部材、１７…排出ローラー対、１７ａ…排出駆動ローラー、
１７ｂ…排出従動ローラー、１８…排出部、２０…バッテリー、
２１…キャリッジ駆動モーター（第１の駆動源）、
２２…搬送モーター（第２の駆動源）、２３…給紙モーター（第３の駆動源）、
２４…バッテリー収容部、２４ａ…バッテリー挿抜口、
２５…第１の接点部、２６…第２の接点部、２７…支持リブ、２８…規制リブ、
３０…廃液ボックス、３１…上ハウジング、３２…下ハウジング、
３４…第１基板、３５…第２基板、３６…カバー部材、
４０…把持部、４１ａ、４１ｂ…延設部、４２ａ、４２ｂ…取付部、
５０…ロック機構部、５１…ロックピン、５１ａ…先端、
５２…コイルバネ（付勢手段）、５３…被ロック部、５４…接点長さ、
５５…隙間、５６…第１の斜面、５７…第２の斜面、５８…固定板、
６１…第１側壁部、６２…第２側壁部、６３…奥側壁部、
６４…上面部、６５…上側第１側壁部、６６…上側第２側壁部、６７…取付位置
【図１】
2018052034.tif 000003
【図２】
2018052034.tif 000004
【図３】
2018052034.tif 000005
【図４】
2018052034.tif 000006
【図５】
2018052034.tif 000007
【図６】
2018052034.tif 000008
【図７】
2018052034.tif 000009
【図８】
2018052034.tif 000010
【図９】
2018052034.tif 000011
【図１０】
2018052034.tif 000012
【図１１】
2018052034.tif 000013
【図１２】
2018052034.tif 000014
【図１３】
2018052034.tif 000015
【図１４】
2018052034.tif 000016